(57)【特許請求の範囲】
【請求項１】
カメラ装置本体にバッテリーパックが着脱可能にされるカメラ装置であって、
上記バッテリーパックの取付部に接点端子を備え、上記取付部に導電端子を有する接続機器が取り付けられ、上記接続機器の導電端子を介してビデオレコーダが上記接点端子に接続可能にされるカメラ機器において、
上記カメラ機器は、上記カメラ装置本体とカメラヘッドとからなる分離型カメラ装置であって、上記カメラヘッドと上記カメラ装置本体とはケーブルにより電気的に接続されると共に、上記カメラヘッドに備えられた取付足と上記カメラ装置本体に備えられた取付座とにより接続されて搭載可能に構成され、
上記ビデオレコーダは、映像を表示する表示パネルと録画部とを備え、上記カメラ装置本体のバッテリーパックの取付部の部分に上記接続機器を介して一体に取り付け可能に構成され、
上記接続機器は上記ビデオレコーダに取り付けたときに上記ビデオレコーダの一側面を覆うように構成されている
ことを特徴とするカメラ装置。
【請求項２】
請求項１記載のカメラ装置において、
上記接続機器が上記バッテリーパックの取付部に取り付けられたときに、上記接続機器の導電端子が飛び出し上記接点端子に接続されることを特徴とするカメラ装置。
【発明の詳細な説明】
【０００１】
【発明の属する技術分野】
本発明は、カメラ装置に関する。
【０００２】
【従来の技術】
例えば、カメラ装置の供給電源用のバッテリーとして高電圧／長時間放電と共に軽量，小型化が実現可能になったことからパック式のリチウムイオンバッテリー（以下、バッテリーパックという）が一般に広く普及している。このバッテリーパックは、カメラ装置本体部に設けた例えば凹面状のバッテリーパック取付部に装着することによってバッテリー電源端子と接続され電源供給が行えるようになっている。
【０００３】
【発明が解決しようとする課題】
ところで、バッテリーパック取付部はバッテリーパックが取り付けられる専用のエリアであって、この部分にバッテリーパックとは関係のない接続端子を設け、この接続端子に他の機器を取り付け電気的に接続できるようにしたものは従来技術では存在しない。
【０００４】
しかも、この種のバッテリーパック取付部はバッテリーパックの取付け方向に当該バッテリーパックを固定方向にスライド移動させるためのスペースを必要とするため、バッテリーパック取付部に上述した接点端子を設けたり、この接点端子に他の機器を接続することは技術的に難しいといった問題が伴う。
【０００５】
本発明は、上述したような課題を解消するためになされたもので、バッテリーパック取付部を利用し、この取付部に他の機器を取り付け電気的に確実に接続できるようにしたことで、簡略化及び小型化を可能にした電子機器を得ることを目的とする。
【０００６】
【課題を解決するための手段】
上記の目的を達成するため本発明は、カメラ装置本体にバッテリーパックが着脱可能にされるカメラ装置において、バッテリーパック取付部に接点端子を備え、この取付部に導電端子を有する接続機器が取り付けられ、この接続機器の導電端子を介してビデオレコーダが接点端子に接続可能にされるカメラ機器を構成する。そしてこの構成においてカメラ機器は、カメラ装置本体とカメラヘッドとからなる分離型カメラ装置であって、カメラヘッドとカメラ装置本体とはケーブルにより電気的に接続されると共に、カメラヘッドに備えられた取付足とカメラ装置本体に備えられた取付座とにより接続されて搭載可能に構成され、またビデオレコーダは、映像を表示する表示パネルと録画部とを備え、カメラ装置本体のバッテリーパック取付部の部分に接続機器を介して一体に取り付け可能に構成され、ここで接続機器は、ビデオレコーダに取り付けたときにビデオレコーダの一側面を覆うように構成されているものとする。
【０００７】
このように構成される本発明のカメラ装置では、カメラ装置本体のバッテリーパック取付部には通常、バッテリーパックが取り付けられてカメラ装置本体への電源の供給が行われる。また、このカメラ装置では、バッテリーパック取付部からバッテリーパックを取り外し、このバッテリーパック取付部に接続機器を介してビデオレコーダを接続することができる。そしてこのカメラ装置は、カメラ装置本体とカメラヘッドとが分離可能に構成され、取付足と取付座とにより着脱自在となっているため、カメラヘッドを、ビデオレコーダに対して着脱自在に使うことができる。
【０００８】
【発明の実施の形態】
以下、本発明による電子機器の実施の形態の例をカメラヘッドが分離型のカメラ装置に適用した場合を例にとって図面を参照して説明する。
【０００９】
図１はカメラ装置本体に対してバッテリーパック及びカメラヘッドがそれぞれ分離された状態の外観斜視図である。
【００１０】
カメラ装置本体を符号１で示し、カメラヘッドを符号２で示す。カメラヘッド２は光学レンズ群とＣＣＤ素子とからなり、いわゆるＣＣＤカメラのヘッド部を構成している。カメラ装置本体１はカメラヘッド２からの映像信号及び音声信号を処理する信号処理回路を有し、カメラヘッド２とカメラ装置本体１はケーブル３により電気的に接続される。また、カメラヘッド２はその底部に備えた取付足４をカメラ装置本体１の通称、シューと呼ばれる取付座５に接続されて搭載され、撮影時の使用状態となる。
【００１１】
尚、カメラ装置本体１にはモードを切り換えるプログラムＡＥダイヤル６、電源スイッチ７ａ、風音低減用のスイッチ７ｂ、逆光補正用のスイッチ７ｃが備えられている。また、カメラヘッド２側にはズームダイヤル８、内蔵マイク９を備えている。符号１０は撮影レンズである。
【００１２】
一方、カメラ装置本体１の一側部には凹面状のバッテリー取付部１１が形成され、ここに、リチウムイオンバッテリーパック１２（以下、バッテリーパック１２という）が着脱可能にされる。バッテリーパック１２の取り付け手順としては、バッテリーパック１２をバッテリー取付部１１内に挿入し、スライド移動させることによってバッテリーパック１２の底面の前後に一対づつ形成されている取付フック１３，１３がバッテリー取付部１１の壁面に形成されているフック部１４，１４に係合されガタ付くことなく取り付けることができる。尚、符号１５はバッテリーパック取り外しのためのボタンである。
【００１３】
さて、上述したバッテリー取付部１１の底面には複数の配列された接続端子としてのコネクタ接点端子１６が備えられている。コネクタ接点端子１６はカメラ装置本体１の信号処理回路からの出力端子であり、接点端子１６の表面がバッテリー取付部１１の底面と同一平面かそれ以下になるように配置されている。このコネクタ接点端子１６に他の機器、例えば後述する接続アダプタ１７を介して録画機能を有する携帯型のビデオカセットレコーダに接続可能である（図６参照）。
【００１４】
図２はコネクタ接点端子１６と接続される接続アダプタ１７を表裏よりそれぞれ見た外観斜視図とカメラ装置の外観斜視図を示し、図３にカメラ装置と接続アダプタ１７との接続状態の要部の断面図を示す。
【００１５】
接続アダプタ１７にはバッテリー取付部１１のフック部１４，１４に上述したバッテリーパック１２が取り付けられると同様の取付フック１８，１８を有する。そして、接続アダプタ１７の底面に複数の配列されたアダプタ接点端子部１９が備えられている。
【００１６】
アダプタ接点端子部１９にはコネクタ接点端子１６に対応する数のスリット孔２０があり、各スリット孔２０からループ状の接点端子２１が出入可能にされている。以下、アダプタ接点端子部１９の詳細を図４について説明する。
【００１７】
アダプタ接点端子部１９の両側面には突起２２，２２が設けられ、この突起２２，２２が内側に押されることで各スリット孔２０からループ状の接点端子２１が飛び出し、突起２２，２２の押し操作を開放することで接点端子２１が引き込まれるようになっている。この突起２２，２２を操作するのが操作レバー２３である。尚、接点端子２１の出入構造はここでは省略している。
【００１８】
操作レバー２３はコ字形状を有し、両先端部に突起２２，２２と対応して傾斜面２３ａ，２３ａが形成されている。そして、操作レバー２３の中央部に突出形成された操作片２４が接続アダプタ１７の窓孔１７ａに位置している。また、操作レバー２３は押しばね２５により押し戻され、突起２２，２２から離れる方向にばね付勢されている。操作片２４はカメラ装置本体１のバッテリー取付部１１の壁面から突出している操作突起２６により押されて前進移動する。
【００１９】
また、接続アダプタ１７にはアダプタ接点端子部１９の背後に出力端子部２７が配置され、出力端子部２７には各接点端子２１と図示しないリード線を介して電気的に接続されている出力端子２８を有する。このように構成した接続アダプタ１７は携帯型のビデオカセットレコーダ２９（図５参照）に取り付けるための係合部３０を有する。
【００２０】
本発明によるカメラ装置は以上のように構成され、カメラ装置をＣＣＤカメラとして単独に使用するには、バッテリー取付部１１にバッテリーパック１２を取り付け、カメラ装置本体１の取付座５にカメラヘッド２を搭載することによって、撮影操作を行うことができる。バッテリー取付部１１にバッテリーパック１２を取り付けたとき、バッテリー取付部１１の底部に備えられているコネクタ接点端子１６は、バッテリーパック１２と接触することもないので損傷の恐れもない。
【００２１】
かくして、カメラ装置で撮影した映像をビデオカセットレコーダ２９で録画するには、まず、図５に示すようにビデオカセットレコーダ２９に接続アダプタ１７を取り付けけてその出力端子部２７の出力端子２８をビデオカセットレコーダ２９と電気的に接続する。この後、接続アダプタ１７にバッテリーパック１２の取り外されたカメラ装置本体１を取り付ける（図６参照）。
【００２２】
ここで、接続アダプタ１７とカメラ装置本体１との結合の状況をさらに詳しく説明する。接続アダプタ１７へカメラ装置本体１の接続は、カメラ装置本体１のバッテリー取付部１１を接続アダプタ１７に挿入した状態でスライド移動させることによって、接続アダプタ１７の取付フック１８，１８にカメラ装置本体１のフック部１４，１４が接続される。このとき、バッテリー取付部１１の壁面から突出している操作突起２６（図２参照）が接続アダプタ１７の窓孔１７ａから臨んでいる操作レバー２３の操作片２４が押し込まれる。この動作によって操作レバー２３が前進し両先端部の傾斜面２３ａ，２３ａによってアダプタ接点端子部１９の突起２２，２２が内側に押され、各スリット孔２０からループ状の接点端子２１が飛び出し図３に示すようにカメラ装置本体１のバッテリー取付部１１の底面に設けられているコネクタ接点端子１６と電気的に接触させることができる。
【００２３】
このあとの操作は、ビデオカセットレコーダ２９の電源スイッチ２９ａを入れ、続いてカメラ装置本体１の電源スイッチ７ａを入れたあと、ビデオカセットレコーダ２９にテープカセット等の記録媒体を装填することで録画動作が開始される。ビデオカセットレコーダ２９に録画された映像は液晶表示パネル３１で再生画として見ることができる。
【００２４】
ビデオカセットレコーダ２９からカメラ装置本体１及び接続アダプタ１７の取り外し手順は、カメラ装置本体１を上述した逆の手順にて接続アダプタ１７から取り外し、この後、接続アダプタ１７に設けた取外しボタン３２（図２参照）をスライド操作することで、結合が解除されビデオカセットレコーダ２９から接続アダプタ１７を取り外すことができる。
【００２５】
このように本発明の実施形態の例によるカメラ装置は、カメラ装置本体１のバッテリーパック取付部１１にコネクタ接点端子１６を備え、バッテリーパック取付部１１にバッテリーパック１２と同様の取り付け手段を用いて接続アダプタ１７を取り付け、接続アダプタ１７の接点端子２１とコネクタ接点端子１６とを電気的に接続できるようにしたので、カメラ装置本体１の別の位置に新たにコネクタ接点端子１６を設ける必要がない。これによって、バッテリー取付部１１のスペースを最大限に利用でき、カメラ装置本体１の簡略化と共に小型化を図ることができるといった利点がある。
【００２６】
また、カメラ装置本体１と接続アダプタ１７との取り付け手段は、バッテリーパック固定のための従来から確立した取り付け機構を利用しているので、信頼性の高い取り付けが可能となり、これによって、コネクタ接点端子１６と接点端子２１との接触も位置ずれやガタの生じない確実な接続が可能となる。
【００２７】
本発明は上述しかつ図面に示した実施の形態の例に限定されるものでなく、その要旨を逸脱しない範囲内で種々の変形実施が可能である。
【００２８】
本例では、カメラ装置本体１側のコネクタ接点端子１６と接続アダプタ１７の接点端子２１との接続の仕方は、接点端子２１がアダプタ接点端子部１９のスリット孔２０から飛び出してコネクタ接点端子１６と接触する機構について示したが、その他、接点端子２１が突出形成されているアダプタ接点端子部１９そのものが突出するような機構であってもよい。
【００２９】
また、カメラ装置本体１への接続機器としては、接続アダプタ１７に限るものでなく、ビデオカセットレコーダ２９に設けたコネクタ部分が直接接続されるような機構であってもよい。
【００３０】
また、バッテリー取付部１１は本例では凹面状の場合について示したが、カメラ装置本体１の平坦面にバッテリー取付部を有することであっても上述の場合と同様の機能を得ることができる。
【００３１】
また、本例では、カメラ装置に適用した場合について説明したが、カメラ装置以外、バッテリーパックが取り付けられるようなその他の電子機器にも同様に適用可能であることは言うまでもない。
【００３２】
【発明の効果】
以上説明したように本発明によるカメラ装置は、バッテリーパック取付部に接点端子を備え、この取付部に導電端子を有する接続機器が取り付けられ、この接続機器の導電端子を介してビデオレコーダが接点端子に接続可能にされるようにしたので、別のスペースに新たに接点端子を設ける必要もなく、これによって、カメラ装置の簡略化及び小型化を図ることができるといった効果がある。
【００３３】
そしてさらに本発明のカメラ装置では、カメラ装置本体とカメラヘッドとに分離できる構成としたことにより、カメラヘッドを小さくすることができる。また両者は、それぞれ設けられた取付足と取付座とにより、着脱自在に使うことができる。さらに本発明において、カメラ装置本体に接続機器を介してビデオレコーダを一体に取り付けた状態では、上記の取付足と取付座とにより、カメラヘッドをビデオレコーダに対して着脱自在に使うことができる。
【図面の簡単な説明】
【図１】本発明によるカメラ装置とカメラヘッド及びバッテリーパックの分離状態の斜視図である。
【図２】カメラ装置と接続アダプタとの分離状態の斜視図である。
【図３】カメラ装置と接続アダプタとの接続状態の要部断面図である。
【図４】接続アダプタのアダプタ接点端子部と作動レバーの斜視図である。
【図５】ビデオカセットレコーダーに接続アダプタが取り付けられた状態の斜視図である。
【図６】ビデオカセットレコーダーに接続アダプタを介してカメラ装置が接続された状態の斜視図である。
【符号の説明】
１  カメラ装置本体、２  カメラヘッド、１１  バッテリー取付部、１２  バッテリーパック、１３  取付フック、１４  フック部、１６  コネクタ接点端子、１７  接続アダプタ、１８  取付フック、１９  アダプタ接点端子部、２１  接点端子、２２  突起、２３  操作レバー、２４  操作片、２６  操作突起、２７  出力端子部、２８  出力端子、２９  ビデオカセットレコーダー、３１  液晶表示面
【図１】
0003666239.tif 000002
【図２】
0003666239.tif 000003
【図３】
0003666239.tif 000004
【図４】
0003666239.tif 000005
【図５】
0003666239.tif 000006
【図６】
0003666239.tif 000007